(57)【要約】【課題】収納したままレンズ面の処理が可能で、しかも収納取扱時にレンズ面に傷などが発生することがないレンズトレイを提供する。【解決手段】板状に成形された第１プレート１と第２プレート２と、それら第１プレート１と第２プレート２を重ね合わせて連結する着脱可能な連結部材３とを備えて、前記第１プレート１ならびに第２プレート２のうちの少なくともいずれか一方のプレート１，２のレンズ保持部にレンズ面処理用の透孔４，１３を形成したことを特徴とする。【選択図】    図１９
2004315014.tif 000002
【特許請求の範囲】
【請求項１】
板状に成形された第１プレートと第２プレートとを少なくとも備えて、
前記第１プレートならびに第２プレートのうちの少なくともいずれか一方のプレートの部材支持部に透孔が形成され、
収納すべき部材を前記部材支持部上に載置し、収納すべき部材の表面の一部を前記透孔から露出して、
第１プレートと第２プレートを重ね合わせて両プレート間で収納すべき部材を保持したことを特徴とするトレイ。
【請求項２】
請求項１記載のトレイにおいて、前記第１プレートと第２プレートを重ね合わせて連結する連結部材が、前記第１プレートと第２プレートの少なくともいずれか一方のプレートに着脱可能に設けられることを特徴とするトレイ。
【請求項３】
請求項１記載のトレイにおいて、前記透孔の外周面が外側に向かって拡がっていることを特徴とするトレイ。
【請求項４】
請求項１記載のトレイにおいて、前記収納すべき部材がフランジ部を有し、前記第１プレートと第２プレートを重ね合わせることにより、収納すべき部材のフランジ部を第１プレートと第２プレートにより挟持することを特徴とするトレイ。
【請求項５】
請求項１または請求項４記載のトレイにおいて、前記透孔内に収納された前記収納すべき部材の表面がその透孔を形成しているプレートの表面より突出しない厚さを、透孔を形成しているプレートが有していることを特徴とするトレイ。
【請求項６】
請求項１記載のトレイにおいて、前記第１プレートならびに第２プレートの何れか一方のプレートの部材支持部近傍に治具逃げ部が形成されていることを特徴とするトレイ。
【請求項７】
請求項１記載のトレイにおいて、前記第１プレートと第２プレートの重ね合わせ位置を規制するための位置決め手段が第１プレートと第２プレートに設けられていることを特徴とするトレイ。
【請求項８】
請求項２記載のトレイにおいて、前記第１プレートと第２プレートのほぼ中央位置に前記連結部材が設けられることを特徴とするトレイ。
【請求項９】
請求項１記載のトレイにおいて、前記第１プレートと第２プレートにずれ防止手段が設けられることを特徴とするトレイ。
【請求項１０】
請求項１ないし請求項９のいずれか１項記載のトレイにおいて、前記収納すべき部材が光学品であることを特徴とするトレイ。
【請求項１１】
請求項１ないし請求項９のいずれか１項記載のトレイを使用して、収納すべき光学品を第１プレートと第２プレートの間で保持し、前記透孔から光学品の一部を露出した状態で、トレイを処理装置にセットして、前記透孔を通して光学品の露出面に処理を施すことを特徴とする光学品の処理方法。
【発明の詳細な説明】
【０００１】
【発明の属する技術分野】
本発明は、例えばレンズなどの部材（製品や部品を含む）を収納して取り扱うことのできるトレイ（収納容器）に係り、特にその部材を収納したまま表面処理などもできるトレイに関するものである。
【０００２】
【従来の技術】
従来下記の特許文献１には、図２５に示すようなレンズ収納テープが記載されている。このレンズ収納テープ１００は、薄い合成樹脂シートで造られたキャリアテープ１０１とカバーテープ１０２とから構成されている。キャリアテープ１０１には所定の間隔をおいてレンズ収納部１０３がテープの長手方向に沿って多数形成され、各レンズ収納部１０３の開口部周辺に円環状の支持部１０４が設けられている。
【０００３】
一方、レンズ１０５は、レンズ本体１０６と、その周辺に設けられたフランジ部１０７からなる。このレンズ１０５をレンズ面１０８の方をレンズ収納部１０３の底面と対向するようにしてレンズ収納部１０３に収納し、フランジ部１０７を支持部１０４の上に載置して、レンズ１０５でレンズ収納部１０３の開口部を塞ぐ。
【０００４】
そしてキャリアテープ１０１の上からカバーテープ１０２を貼付して、レンズ１０５が動かないように固定する。このレンズ収納テープ１００をリールに巻回して、そのリール巻回体を製造ラインにあるレンズ組込み装置まで持ち運ぶようになっている。
【０００５】
【特許文献１】
特開２００２−１９８６８号公報
【０００６】
【発明が解決しようとする課題】
このレンズ収納テープ１００は、リールに巻回する際にレンズ面１０９に当たっているカバーテープ１０２の上に、その外側に巻回されたキャリアテープ１０１のレンズ収納部１０３の底部が当たり、テープの巻き締めによりそのレンズ収納部１０３が巻回方向に移動すると、レンズ１０５のレンズ面１０９に傷が発生することがある。
【０００７】
また、レンズによってはその表面に蒸着などによる処理膜を形成する場合があるが、前述のレンズ収納テープ１００はレンズ１０５を収納した状態ではレンズ１０５の上下のレンズ面１０８、１０９がキャリアテープ１０１とカバーテープ１０２で覆われるため、レンズ１０５をレンズ収納テープ１００に収納した状態で前述の表面処理を行なうことはできない。
【０００８】
そのためレンズ１０５をレンズ収納テープ１００に収納する前に治具で個別にレンズ１０５のフランジ部１０７を挟んで表面処理を行ない、その後にレンズ１０５をレンズ収納テープ１００に収納することになり、そのために作業能率が悪いなどの欠点を有している。
【０００９】
本発明の目的は、このような従来技術の欠点を解消し、収納したまま表面処理などが可能である優れた利便性を有するトレイならびに効率の良い光学品の処理方法を提供することにある。
【００１０】
【課題を解決するための手段】
前記目的を達成するため、本発明の第１の手段は、板状に成形された第１プレートと第２プレートとを少なくとも備えて、前記第１プレートならびに第２プレートのうちの少なくともいずれか一方のプレートの部材支持部に透孔が形成され、収納すべき部材を前記部材支持部上に載置し、収納すべき部材の表面の一部を前記透孔から露出して、第１プレートと第２プレートを重ね合わせて両プレート間で収納すべき部材を保持したことを特徴とするものである。
【００１１】
本発明の第２の手段は前記第１の手段において、前記第１プレートと第２プレートを重ね合わせて連結する連結部材が、前記第１プレートと第２プレートの少なくともいずれか一方のプレートに着脱可能に設けられることを特徴とするものである。
【００１２】
本発明の第３の手段は前記第１の手段において、前記透孔の外周面が外側に向かって拡がっていることを特徴とするものである。
【００１３】
本発明の第４の手段は前記第１の手段において、前記収納すべき部材がフランジ部を有し、前記第１プレートと第２プレートを重ね合わせることにより、収納すべき部材のフランジ部を第１プレートと第２プレートにより挟持することを特徴とするものである。
【００１４】
本発明の第５の手段は前記第１の手段または第４の手段において、前記透孔内に収納された前記収納すべき部材の表面が、その透孔を形成しているプレートの表面より突出しない厚さを、透孔を形成しているプレートが有していることを特徴とするものである。
【００１５】
本発明の第６の手段は前記第１の手段において、前記第１プレートならびに第２プレートの何れか一方のプレートの部材支持部近傍に治具逃げ部が形成されていることを特徴とするものである。
【００１６】
本発明の第７の手段は前記第１の手段において、前記第１プレートと第２プレートの重ね合わせ位置を規制するための位置決め手段が第１プレートと第２プレートに設けられていることを特徴とするものである。
【００１７】
本発明の第８の手段は前記第２の手段において、前記第１プレートと第２プレートのほぼ中央位置に前記連結部材が設けられることを特徴とするものである。
【００１８】
本発明の第９の手段は前記第１の手段において、前記第１プレートと第２プレートにずれ防止手段が設けられることを特徴とするものである。
【００１９】
本発明の第１０の手段は前記第１の手段ないし第９の手段において、前記収納すべき部材が例えば光学レンズなどの光学品であることを特徴とするものである。
【００２０】
本発明の第１１の手段は前記第１の手段ないし第９の手段のトレイを使用して、収納すべき光学品を第１プレートと第２プレートの間で保持し、前記透孔から光学品の一部を露出した状態で、トレイを例えば蒸着装置などの処理装置にセットして、前記透孔を通して光学品の露出面に処理を施すことを特徴とするものである。
【００２１】
【発明の実施の形態】
次に本発明の実施形態を図面とともに説明する。図１は第１プレートの平面図、図２はその第１プレートの正面図、図３はその第１プレートの底面図、図４は図１Ａ−Ａ線上の断面図、図５は図３Ｂ−Ｂ線上の断面図、図６は第２プレートの平面図、図７はその第２プレートの底面図、図８は第２プレートの側面図、図９は図６Ｃ−Ｃ線上の断面図、図１０は図７Ｄ−Ｄ線上の断面図、図１１はその第２プレートにおける第２プレート側透孔付近の拡大平面図、図１２はその第２プレート側透孔付近の拡大断面図、図１３は連結ピンの拡大正面図である。
【００２２】
本実施形態に係るレンズトレイは、重ね合わせられて蓋部を構成する第１プレート１ならびにレンズを収納する第２プレート２と、重ね合わせた両プレート１，２を連結する複数本の連結ピン３から構成されている。両プレート１，２は例えばポリカーボネートなどの耐磨耗性に優れた合成樹脂あるいはアルミニウムなどの金属で構成され、連結ピン３はポリプロピレンなどの弾性を有する合成樹脂で構成される。
【００２３】
なお、収納するレンズと両プレート１，２の材質を同じにするかあるいは同系統にして、熱膨脹係数を同じかあるいはほぼ同じにすれば、後述の蒸着処理などのように熱を加えた際に両プレート１，２がレンズと同じように膨脹し、レンズに無理な応力がかからない。なお、この明細書で記述する蒸着処理は、ＣＶＤ、イオンプレーティング、スパッタリングなどを含む広義の蒸着処理をいう。
【００２４】
図１ないし図５は、第１プレート１を示す図である。図１は第１プレート１の外面側、図３はその内面側の形状をそれぞれ示し、後述するようにこのトレイの蓋部に相当するものである。
【００２５】
第１プレート１は平面形状が正方形をしたほぼ板状のもので、中央部の一部を除いて縦方向ならびに横方向に整列して多数の第１プレート側透孔４が形成されている。本実施形態の場合、中央部の４個分を除いて縦横で合計６０個の第１プレート側透孔４が形成されており、従って１つのレンズトレイで６０個のレンズの取扱い（搬送、保管ならびに蒸着処理など）ができるようになっている。
【００２６】
なお図１と図３では図面が煩雑になるため、中間部の第１プレート側透孔４は省略して点線で示している。これは図６と図７に示す第２プレート２の場合も同様である。この第１プレート側透孔４の外周面５は例えば図２に示すように、上面から下面に向けて徐々に径小になって擂鉢状をしている。
【００２７】
図１に示すように第１プレート１の４つの角部に、レンズトレイを多数段積み重ねたときに角部が屈曲（変形）するのを防止するために、ピン状の突出部６が上方に向けて突設されている。本実施形態ではピン状の突出部６を設けたが、リブ状のものでもよい。
【００２８】
図１に示すように対角線上で対向する１組の角部の、一方の角部付近に円形をした上下合わせ孔７ａが、他方の角部付近に長円形をした上下合わせ孔７ｂが、それぞれ形成されている。
【００２９】
図１に示すように、第１プレート１の４つの角部付近に４つ、また第１プレート１の中央部に対角線上に２つ、第１プレート連結孔８が形成されている。
【００３０】
図１に示すように、第１プレート１の４つの側縁にそれぞれ沿って、４本の上側ずれ止めリブ９が上方に向いて突設されている。
【００３１】
図１において左右のずれ止めリブ９の両端部近くには、後述するようにレンズトレイを積み重ねた際、積み重ねられた上方のレンズトレイの下方に突出した連結ピン３の頭部を収納できる切欠部１０がそれぞれ形成されている。
【００３２】
図１に示すように、第１プレート１の中央部に設けられた２つの第１プレート連結孔８の隣には、レンズトレイを積み重ねた際、積み重ねられた上方のレンズトレイの下方に突出した中央部の２つの連結ピン３の頭部を収納する２つの逃げ用透孔１１が形成されている。
【００３３】
図１に示すように、対角線上で対向する１組の角部で前記上下合わせ孔７ａ，７ｂが形成されていない側の角部付近に、後述する第２プレート２の位置決め用孔２２ａ，２２ｂに対応する位置決め用凹部１２が下方に向けて開口するように形成されている。
【００３４】
図６ないし図１２は、第２プレート２を示す図である。図６は第２プレート２の内面側、図７はその外面側の形状を示し、この第２プレート２はレンズの収納部となる。
【００３５】
第２プレート２も平面形状が正方形をしたほぼ板状で、図１９に示すようにレンズ３２におけるレンズ面３６の突出高さＨ１より厚い板厚Ｈ２を有し（Ｈ１＜Ｈ２）、中央部の一部を除いて縦方向ならびに横方向に整列して多数の第２プレート側透孔１３が形成されている。本実施形態の場合前記第１プレート１に合わせて、中央部の４個分を除いて縦横で合計６０個の第２プレート側透孔１３が形成されている。この第２プレート側透孔１３の外周面１４は例えば図１２に示すように、下面から上面に向けて徐々に径小になった反擂鉢状になっている。
【００３６】
図６，図１１，図１２に示すように、第２プレート側透孔１３の上端開口部の外周部には段落ちされた支持部１５が設けられ、さらにその支持部１５の四方には、レンズを把持してこのトレイの所定位置に載置、あるいはこの支持部１５上に載置されたレンズを取り出すためのピンセットなどの治具の先端部が入り込むための溝状の治具逃げ部１６が格子状に形成されている。
【００３７】
図６に示すように、対角線上で対向する１組の角部付近に上下合わせピン１７がそれぞれ形成されている。
【００３８】
図６に示すように第２プレート２の４つの角部付近に４つ、また第２プレート２の中央部に対角線上に２つ、第２プレート連結孔１８が形成されている。
【００３９】
図６に示すように第２プレート２の４つの側縁にそれぞれ沿って、４本の下側ずれ止めリブ１９が下方に向いて突設されている。
【００４０】
図６において左右のずれ止めリブ１９の両端部近くには、下方に向いて凹んだ切欠き状凹部２０がそれぞれ形成されている。この凹部２０は、後述するようにレンズトレイを積み重ねた際、上方のレンズトレイに取り付けられた連結ピン３の突出した頭部が当接しないように凹んでいる。
【００４１】
図６に示すように、第２プレート２の中央部に設けられた２つの第２プレート連結孔１８の隣には、下方に向いて凹んだ（図９参照）２つの円形の逃げ用凹部２１が形成されている。この凹部２１は、レンズトレイを積み重ねた際、上方のレンズトレイに取り付けられた中央部の２個の連結ピン３の頭部が当接しないように凹んでいる。
【００４２】
図６に示すように、対角線上で対向する１組の角部で前記上下合わせピン１７が突設されていない側の角部付近に、円形をした位置決め用孔２２ａと長円形をした位置決め用孔２２ｂが形成されている。これら位置決め用孔２２ａ，２２ｂは、後述するように図２０，図２１で示す射出成形装置などのマガジン２７上で位置決めするための孔である。
【００４３】
図６において左右の側端部には、切欠き状段部２３がそれぞれ形成されている。この切欠き状段部２３は、重ね合わせて連結ピン３で連結された第１プレート１と第２プレート２を開く際に、開き治具の先端部を両側の切欠き状段部２３から挿入して、第１プレート１と第２プレート２を開くときに用いられる。
【００４４】
図１３は、連結ピン３の拡大正面図である。図に示すように連結ピン３は、頭部２４と、その頭部２４の下方に設けられた軸部２５と、その軸部２５の下部に外側へ開くように設けられた２つ割れの弾性脚部２６との一体成形物から構成されている。
【００４５】
図１４は第１プレートと第２プレートを組み合わせたレンズトレイの平面図、図１５はレンズトレイの底面図、図１６はレンズトレイの側面図、図１７は図１４Ｅ−Ｅ線上の断面図、図１８は図１５Ｆ−Ｆ線上の断面図、図１９は第１プレートと第２プレートによるレンズの保持状態を示す拡大断面図である。図２０と図２１は、レンズ成形装置のレンズ収納用マガジン２７上での第２プレートの取付け状態を示す平面図ならびに側面図である。
【００４６】
レンズ３２をレンズトレイ３７に収納保持するためには、まず図２０と図２１に示すように第２プレート２を内面側（図６側）を上方にしてマガジン２７上に設置する。マガジン２７には図２０に示すように、第２プレート２の位置決め用孔２２ａと２２ｂに対応する位置に大径部２８と小径部２９を一体に設けた段付き支持ピン３０ａと３０ｂが設けられ、第２プレート２の位置決め用孔２２ａ，２２ｂが形成されていない他の一対の角部に対応する位置に前記大径部２９と同じ高さの段無し支持ピン３１，３１が設けられている。
【００４７】
この４本の支持ピン３０ａ，３０ｂ，３１，３１の上に第２プレート２を、図９，図１９に示すように第２プレート側透孔１３の外周面１４が下側（外側）に向いて開き、かつ上下合わせピン１７が上方を向くように載置する。それによって段付き支持ピン３０ａ，３０ｂの小径部２９が第２プレート２の位置決め用孔２２ａ，２２ｂ（図６参照）に挿入されて、マガジン２７上で第２プレート２の水平方向の位置決めがなされる。また段付き支持ピン３０ａ，３０ｂの大径部２８と段無し支持ピン３１，３１の頂部により第２プレート２が支持されることにより、垂直方向の位置決めがなされる。
【００４８】
この状態で射出成形装置から取り出したレンズ３２が、第２プレート２の各第２プレート側透孔１３内に収められる。レンズ３２は例えばポリカーボネートなどの透明な合成樹脂で射出成形され、図１９に示すようにレンズ部３３と、その外周部に設けられたフランジ部３４を有している。レンズ３２のフランジ部３４は、第２プレート２の透孔１３の周縁に形成された支持部１５上に載置される。このフランジ部３４をピンセットなどの治具で挟み、第２プレート２の支持部１５から取り出すかまたはこの上に収める際に、治具の先端部が第２プレート２の治具逃げ部１６に挿入することができるので、レンズ３２を治具から落とすことなくスムーズに第２プレートの所定位置から取り出しまたは収納することができる。
【００４９】
図６，図１１では、治具逃げ部１６の縦方向の幅Ｗ１と横方向の幅Ｗ２が異なっている。これは治具の先端部の幅が異なるものに対応できるために異なった幅になっているが、同一幅の治具を使用する場合は、縦方向の幅Ｗ１と横方向の幅Ｗ２が同じでもよい。また、この治具逃げ部１６が縦方向と横方向の二方向に形成されているが、一方向であってもよく、またはその方向も斜め方向であってもよい。
【００５０】
レンズ３２を各第２プレート側透孔１３内に収めた後、第１プレート１が図２と図１９に示すように第１プレート側透孔４の外周面５が上側（図１の状態）に向いて開くように第２プレート２の上に載置して重ね合わされる。この重ね合わせにより、第２プレート２の上下合わせピン１７，１７が第１プレート１の上下合わせ孔７ａ，７ｂに挿入されて、第２プレート２に対する第１プレート１の位置決めがなされる。
【００５１】
このように第２プレート２上に第１プレート１を載置することにより、図１９に示すようにレンズ３２のフランジ部３４が第２プレート２の支持部１５上に載置されて、第１プレート１と第２プレート２の間で挟持される。そしてレンズ部３３の上側レンズ面３５が第１プレート１の第１プレート側透孔４から露出し、レンズ部３３の下側レンズ面３６が第２プレート２の第２プレート側透孔１３から露出した状態になる。前述のようにレンズ３２のフランジ部３４が第１プレート１と第２プレート２の間で挟持されているから、トレイ運搬時などのレンズ３２がトレイ内で移動したりがたついたりすることはない。
【００５２】
なお、上下のレンズ面３５，３６が両プレート１，２に接触しないように透孔４，１３の径が設定されている。また凸状の上側レンズ面３５は第１プレート１の上面より突出しないように、凸状の下側レンズ面３６はその突出高さＨ１がΔＨ分（ΔＨ＞０で例えば０．１ｍｍ程度）余裕をもって第２プレート２の下面より突出しないように、プレート１の厚さが設定されている。従ってこのプレート１を平坦面上に載置してもレンズ面３６は平坦面に接触しないので、レンズ面３６に傷などが着かないように良好に保護することができる。
【００５３】
第１プレート１の第１プレート側透孔４の最も小径の部分は、上側レンズ面３５の有効外径Ｄ１と等しいか、あるいはそれよりも若干径大となっている。また第２プレート２の第２プレート側透孔１３の最も小径の部分は、下側レンズ面３６の有効外径Ｄ２と等しいか、あるいはそれよりも若干径大となっている。このような寸法関係は、後述する蒸着膜を着ける際にレンズ面３５，３６に確実にコーティングできる寸法関係となっている。
【００５４】
このようにレンズ面３５，３６に相当する部分を透孔４，１３内に収納するようにしたので、レンズ面３５，３６の突出高さが少々変更されてもレンズトレイを変更することなくそのまま適用できる利便さがある。
【００５５】
また、第２プレート２の上下合わせピン１７と第１プレート１の上下合わせ孔７とを嵌合させて、第１プレート１と第２プレート２を重ね合わせることにより、第１プレート１の各第１プレート連結孔８と第２プレートの各第２プレート連結孔１８の上下位置が一致して連通される。そしてこの連結孔８，１８内に図１３に示す連結ピン３を弾性脚部２６を下側にして圧入し、図１７に示すように弾性脚部２６を第２プレートの下面から突出させる。
【００５６】
連結ピン３における弾性脚部２６の復元力と頭部２４の押さえにより、第１プレート１と第２プレート２がしっかりと連結され、両プレート１，２によるレンズ３２の保持が確実である。
【００５７】
図１４は全ての連結孔８，１８に連結ピン３を挿着した状態を示しているが、両プレート１，２どうしが確実に密着する場合は、四隅の連結孔８，１８だけに連結ピン３を挿着すればよいが、両プレート１，２どうしを連結するには隅部の２つの連結ピン３で結合してもよい。プレート１，２どうしを重ね合わせた場合に両プレート１，２の中央部が膨らむようであれば、図１４に示すように中央部の連結孔８，１８にも１本あるいは２本の連結ピン３を挿着して、プレート１，２の中膨らみを抑えることができる。
【００５８】
第１プレート１と第２プレート２は前記連結ピン３を使用することにより、容易かつ確実に連結することが可能であるが、このような連結ピン３を使用することなく、他の連結手段例えば輪ゴムなどにより、第１プレート１と第２プレート２を圧接するように第１プレート１と第２プレート２の外周に巻き掛けすれば、適当に第１プレート１と第２プレート２の間にレンズ３２を保持、収納することができ、搬送や保管が可能となる。
【００５９】
図２２は、レンズトレイ３７を複数段に積み重ねた状態を示す一部説明図である。図１に示すように第１プレート１の４辺に沿ってずれ止めリブ９が上方に向いて突出しており、また図６に示すように第２プレート２の４辺にはずれ止めリブ１９が下方に向いて突出している。
【００６０】
この場合図１４から明らかなように、第１プレート１の上下、左右の止めリブ９の間隔が、第２プレート２の上下、左右の止めリブ１９の間隔より広くなっており、レンズトレイ３７を積み重ねた際、第２プレート２の止めリブ１９が第１プレート１の止めリブ９内に配置されるようになっている（図２２参照）。
【００６１】
従って図２２に示すようにレンズトレイ３７を複数段に積み重ねることにより、上段のレンズトレイ３７のずれ止めリブ１９が下段のレンズトレイ３７のずれ止めリブ９と係合するから、レンズトレイ３７を複数段に積み重ねてもレンズトレイ３７が平面の縦方向、横方向の何れにもずれることがなく、安定した状態で積み重ねることができる。
【００６２】
図２２に示すように第２プレート２の止めリブ１９の高さは、第１プレート１の止めリブ９の高さより低く形成されており、従ってレンズトレイ３７を積み重ねる際、無理なく積み重ねが可能となる。
【００６３】
なお、連結ピン３の頭部２４はレンズトレイ３７の上面から突出しているが、上に積み重ねられるレンズトレイ３７を水平面上で９０度回転して載置することで、頭部２４はその上側にあるレンズトレイ３７の第２プレート２に形成されている逃げ用凹部２１及び切欠き状凹部２０内に収められる。また、連結ピン３の弾性脚部２６は同時にレンズトレイ３７の下面から突出しているが、弾性脚部２６はその下側にあるレンズトレイ３７の第１プレート１に形成されている逃げ用透孔１１及び切欠部１０内に収められる。従って、連結ピン３がレンズトレイ３７から部分的に突出していても、それに関係なくレンズトレイ３７を水平状態に積み重ねることができる。
【００６４】
図２３と図２４は、レンズトレイ３７を蒸着パレットで保持した状態を示す概略平面図と概略側面図である。この種レンズ３２は必要に応じて上側レンズ面３５や下側レンズ面３６に色収差補正などのためＳｉＯなどの蒸着膜を形成する場合があるが、本発明によるレンズトレイ３７はこの蒸着膜形成時のレンズ保持手段としても使用できる。この使用例について次に説明する。
【００６５】
図２４に示すように蒸着パレットは側面形状がほぼコ字形をした一対のプレート保持部材３８，３８を有し、プレート保持部材３８，３８の間隔はレンズトレイ３７の横幅とほぼ等しく設計されている。レンズトレイ３７の両端部をプレート保持部材３８，３８の溝部に挿入してロック機構（図示せず）によって挿入状態をロックすることによって、レンズトレイ３７が蒸着パレット内に位置決め、保持される。
【００６６】
このようにして保持されたレンズトレイ３７を蒸着装置にセットして、レンズ３２の例えば酸化珪素などによる反射防止、色消し、色収差補正などの目的で所望の蒸着処理が施される。図１９に示されているように、レンズ３２の上側レンズ面３５は第１プレート側透孔４内で露出しおり、下側レンズ面３６は第２プレート側透孔１３内で露出しおり、しかも透孔４，１３は外側に向けてテーパ状に拡がっているから、蒸着微粒子のレンズ面３５，３６に対する付着効率が良好で、良質の蒸着膜が形成される。図１９に示されているように透孔４，１３の開き角度θは６０°〜１２０°の範囲、好ましくは７０°〜１１０°の範囲である。
【００６７】
前述のようにレンズトレイ３７には多数のレンズ３２が整列保持されているから、一方のレンズ面（例えば下側レンズ面３６）に対する蒸着が各レンズ３２とも同時に行なわれ、所定の厚さの蒸着膜が形成されると、蒸着パレットを裏返して他方のレンズ面（例えば上側レンズ面３５）に対する蒸着が引続き行なわれる。本実施形態では両方のレンズ面に蒸着を施したが、片方のレンズ面だけに蒸着を施す場合もある。蒸着膜は、単層の場合と異材料のものを複数積層する場合とがある。
【００６８】
蒸着が終了すると蒸着パレットを蒸着装置から取り出し、さらに蒸着パレットからレンズトレイ３７を抜き出す。レンズトレイ３７は図２２に示すように所定枚数積み重ねて保管されたり、搬送される。
【００６９】
レンズトレイ３７からレンズ３２を取り出す場合、図１４，図１６に示すようにレンズトレイ３７の両側面で開口している切り欠き状段部２３，２３に治具の先端部を挿入して、上下のプレート１，２をこじ開ける。この動作により、挿着されていた連結ピン３が自動的に抜ける。その後第１プレート１を第２プレート２から外して、ピンセットなどの治具でレンズ３２を挟んで第２プレート２から取り出す。
【００７０】
前記実施形態では連結ピンを第１プレートならびに第２プレートとは別部材として設けたが、何れか一方のプレートに連結ピンを一体に設け、他方のプレートにその連結ピンが挿着されるプレート連結孔を形成してもよい。
【００７１】
前記実施形態では第１プレートと第２プレートを連結する連結部材としてピン状のものを使用したが、クリップ状、鉤状あるいは差込み式など他の形状の連結部材を用いることもできる。
【００７２】
前記実施形態では第１プレートと第２プレートの両方にずれ止めリブを形成したが、何れか一方のプレートにずれ止めリブを形成し、他方のプレートにそのずれ止めリブと係合する溝あるいは段部などを設けることもできる。
【００７３】
前記実施形態ではレンズの表面に蒸着膜を形成する場合について説明したが、レンズを保持したレンズトレイを処理液中に浸漬したりあるいは処理ガス中に置いて、レンズ表面に所望の処理を施すこともできる。
【００７４】
前記実施形態では第１プレートと第２プレートの両方に処理用の透孔を設けたが、レンズの片面だけに表面処理を施す場合は、第１プレートと第２プレートの何れか一方にのみ処理用の透孔を形成すればよい。この場合、処理用透孔を形成しない側のプレートの内面にレンズ面よりも径大の逃げ用凹部を設けるなどして、レンズ面が直接プレートの内面に接触しないようにするとよい。
【００７５】
前記実施形態では収納すべき部材として光学レンズの場合について説明したが、本発明はこれに限定されるものではなく、例えば光学フィルター、回折格子、ライトガイドなどの光学品、あるいは半導体チップ、各種成形部品などの各種部材の収納あるいは処理などにも適用可能である。
【００７６】
【発明の効果】
請求項１記載の第１の手段は、プレートの部材支持部に透孔が形成されているから、トレイにレンズなどの部材を収納保持したままの状態で所望の処理などができ、処理後はそのままの状態で部材を保管したり搬送したりすることができる。しかも第１プレートと第２プレートは板状に成形されたもので、ある程度の機械的強度を有しているから、収納すべき部材ならびにトレイの取扱いが簡便である。
【００７７】
請求項２記載の第２の手段は、連結部材により第１プレートと第２プレートの重ね合わせ状態が確実に保持できるから、トレイの取扱いが良好で、複数段に積み重ねことができる。またこの連結部材はプレートに着脱可能に設けられるから、連結部材ならびにプレートを繰り返して使用できる。
【００７８】
請求項３記載の第３の手段は、透孔の外周面が外側に向かって拡がっているから、部材表面に対する例えば蒸着微粒子などの取り入れが良好であり、良質の処理ができる。
【００７９】
請求項４記載の第４の手段は、第１プレートと第２プレートを重ね合わせることにより、収納すべき部材のフランジ部を第１プレートと第２プレートにより挟持する構造になっているから、プレートによって収納すべき部材の表面（例えばレンズ面など）を傷つけることがない。
【００８０】
請求項５記載の第５の手段は、透孔内に収納されている部材の面（例えば凸状レンズ面）がその透孔を形成しているプレートの表面より突出しないようになっているから、部材を収納したトレイを何かの上に乗せたりあるいはトレイどうしを積み重ねたときでも、部材の面（例えば凸状レンズ面）を傷つけることを防止することができる。
【００８１】
請求項６記載の第６の手段は、プレートの部材支持部近傍に治具逃げ部が形成されているから、ピンセットなどの治具による部材の装着ならびに取り出しが簡便である。
【００８２】
請求項７記載の第７の手段は、第１プレートと第２プレートの重ね合わせ位置を規制するための位置決め手段が設けられているから、第１プレートと第２プレートとが適正に重ね合わさり、そのために第１プレートと第２プレートの間での収納された部材の保持状態が確実、良好である。
【００８３】
請求項８記載の第８の手段は、第１プレートと第２プレートのほぼ中央位置に両者を連結する連結部材が設けられているから、第１プレートと第２プレートの中膨らみが抑えられて、第１プレートと第２プレートの間での収納された部材の保持状態が確実、良好である。また第１プレートと第２プレートを可及的に薄くして、軽量化が図れる。
【００８４】
請求項９記載の第９の手段は、第１プレートと第２プレートにずれ防止手段が設けられるから、トレイどうしを積み重ねてもずれることがなく、積み重ね状態が安定している。
【００８５】
請求項１０記載の第１０の手段は、収納すべき部材がレンズなどの光学品であるから、保管時、運搬時、処理時などに光学品の表面に傷や塵埃類などが着くことがない。
【００８６】
請求項１１記載の第１１の手段は、トレイにレンズなどの光学品を収納保持したままの状態で所望の処理ができ、処理後はそのままの状態で光学品を保管したり搬送したりすることができ、効率向上が図れるなどの特長を有している。
【図面の簡単な説明】
【図１】本発明の実施形態に係る第１プレートの平面図である。
【図２】その第１プレートの正面図であるる
【図３】その第１プレートの底面図である。
【図４】図１Ａ−Ａ線上の断面図である。
【図５】図３Ｂ−Ｂ線上の断面図である。
【図６】第２プレートの平面図である。
【図７】その第２プレートの底面図である。
【図８】第２プレートの側面図である。
【図９】図６Ｃ−Ｃ線上の断面図である。
【図１０】図７Ｄ−Ｄ線上の断面図である。
【図１１】その第２プレートにおける第２プレート側透孔付近の拡大平面図である。
【図１２】その第２プレート側透孔付近の拡大断面図である。
【図１３】連結ピンの拡大正面図である。
【図１４】レンズトレイの平面図である。
【図１５】そのレンズトレイの底面図である。
【図１６】そのレンズトレイの側面図である。
【図１７】図１４Ｅ−Ｅ線上の断面図である。
【図１８】図１５Ｆ−Ｆ線上の断面図である。
【図１９】レンズを保持したレンズトレイの一部拡大断面図である。
【図２０】第２プレートのマガジン上での取付け状態を示す平面図である。
【図２１】第２プレートのマガジン上での取付け状態を示す平面図である。
【図２２】レンズトレイの積み重ね状態を示す図である。
【図２３】レンズトレイを蒸着パレットで保持した状態を示す概略平面図である。
【図２４】レンズトレイを蒸着パレットで保持した状態を示す概略側面図である。
【図２５】従来提案されたレンズ収納テープの一部拡大断面である。
【符号の説明】
１：第１プレート、２：第２プレート、３：連結ピン、４：第１プレート側透孔、５：外周面、６：突出部、７ａ，７ｂ：上下合わせ孔、８：第１プレート連結孔、９：上側ずれ止めリブ、１０：切欠部、１１：逃げ用透孔、１２：位置決め用凹部、１３：第２プレート側透孔、１４：外周面、１５：支持部、１６：治具逃げ部、１７：上下合わせピン、１８：第２プレート連結孔、１９：下側ずれ止めリブ、２０：切欠き状凹部、２１：逃げ用凹部、２２ａ，２２ｂ：位置決め用透孔、２３：切欠き状段部、２４：頭部、２５：軸部、２６：弾性脚部、２７：マガジン、２８：大径部、２９：小径部、３０：段付き支持突起、３１：段無し支持突起、３２：レンズ、３３：レンズ部、３４：フランジ部、３５：上側レンズ面、３６：下側レンズ面、３７：レンズトレイ、３８：プレート保持部材、Ｈ１：レンズ面の突出高さ、Ｈ２：第２プレートの板厚、Ｗ１：治具逃げ部の縦方向の幅、Ｗ２：治具逃げ部の横方向の幅、Ｄ１：上側レンズ面の有効外径、Ｄ２：下側レンズ面の有効外径、θ：透孔の開き角度。
【図１】
2004315014.tif 000003
【図２】
2004315014.tif 000004
【図３】
2004315014.tif 000005
【図４】
2004315014.tif 000006
【図５】
2004315014.tif 000007
【図６】
2004315014.tif 000008
【図７】
2004315014.tif 000009
【図８】
2004315014.tif 000010
【図９】
2004315014.tif 000011
【図１０】
2004315014.tif 000012
【図１１】
2004315014.tif 000013
【図１２】
2004315014.tif 000014
【図１３】
2004315014.tif 000015
【図１４】
2004315014.tif 000016
【図１５】
2004315014.tif 000017
【図１６】
2004315014.tif 000018
【図１７】
2004315014.tif 000019
【図１８】
2004315014.tif 000020
【図１９】
2004315014.tif 000021
【図２０】
2004315014.tif 000022
【図２１】
2004315014.tif 000023
【図２２】
2004315014.tif 000024
【図２３】
2004315014.tif 000025
【図２４】
2004315014.tif 000026
【図２５】
2004315014.tif 000027